(57)【要約】  プレイスシフト装置は、HDCPなどのようなコピー保護の一形態を組み込むメディアソース（例えば、チューナー）からのコンテンツを扱う。ある場合には、プレイスシフトモードに入ったとき（パススルーモードと反対に）、インタフェース（例えば、HDMIインタフェース）のコピー保護機能は単に無効とされる。メディアソースが、プレイスシフト装置によって調べることが可能なコピー保護「フラグ」などを含む他の場合には、プレイスシフト装置は、メディアソースコピー保護が有効にされているか否かを判定し、その場合にのみ、インタフェースのコピー保護機能を無効にする。選択可能な出力制御（SOC）がメディアソースで利用可能な他の場合には、プレイスシフト装置は、代わりのインタフェースが利用可能な否か（例えば、コンポーネントビデオ、複合ビデオなど）を判定し、その場合、コピー保護機能を有するインタフェースを無効にする。【選択図】図１
2015535150.tif 000002
【特許請求の範囲】
【請求項１】
メディアソースからメディアコンテンツを受信するように構成されたプレイスシフト装置であって、
プレイスシフトモードを有するコントローラと、
前記コントローラと前記メディアソースとに結合され、選択可能なコピー保護機能を有する第１の受信機インタフェースと、を備え、
前記コントローラは、前記プロセッサがプレイスシフトモードに入ったとき、前記第１の受信機インタフェースの前記コピー保護機能を無効にするように構成されている、ことを特徴とするプレイスシフト装置。
【請求項２】
前記コントローラは、
前記メディアソースがコピー保護メディアコンテンツを伝送しているか否かを判断するために、前記メディアソースに対する調査を行い、
前記メディアソースがコピー保護メディアコンテンツを伝送している場合に、前記第１の受信機の前記コピー保護機能を無効にする、ように構成されていることを特徴とする請求項１に記載のプレイスシフト装置。
【請求項３】
前記コントローラは、
前記メディアソースが、選択可能な出力制御を実装していることを判定し、
第２の受信機インタフェースが、前記選択可能な出力制御を介して、前記メディアソースに結合されているか否かを判定し、
前記第２の受信機インタフェースが、前記メディアソースに結合している場合に、前記第１のインタフェースを不作動にする、ように構成されていることを特徴とする請求項１に記載のプレイスシフト装置。
【請求項４】
前記コントローラが、
前記メディアソースに、複数のメディアソースインタフェースを介して、前記メディアコンテンツの出力を試すように命令し、
信号が、前記複数のメディアソースインタフェースを介して受信されているか否かを判定する、ことによって、
前記第２の受信機インタフェースが、前記メディアソースに結合されているか否かを判定するように構成されている、ことを特徴とする請求項３に記載のプレイスシフト装置。
【請求項５】
前記第１の受信機インタフェースは、HDMIインタフェースであることを特徴とする請求項１に記載のプレイスシフト装置。
【請求項６】
前記コピー保護機能は、HDCPコピー保護機能であることを特徴とする請求項５に記載のプレイスシフト装置。
【請求項７】
前記コントローラは、更に、前記コピー保護機能の状態に関して、ユーザにメッセージを提供するように構成されている、ことを特徴とする請求項１に記載のプレイスシフト装置。
【請求項８】
プレイスシフト装置とメディアソースとの間のインタフェースを管理する方法であって、
前記プレイスシフト装置が、パススルーモードにあるか、あるいは、プレイスシフトモードにあるか、を判定し、
前記プレイスシフト装置が前記プレイスシフトモードに入ったとき、前記インタフェースのコピー保護機能を無効にし、
前記プレイスシフト装置が前記パススルーモードに入ったとき、前記インタフェースの前記コピー保護機能を有効にする、ことを特徴とする方法。
【請求項９】
更に、
前記メディアソースがコピー保護メディアコンテンツを伝送しているか否かを判定するために、前記メディアソースに対する調査を行い、
前記メディアソースがコピー保護メディアコンテンツを伝送している場合にのみ、前記第１の受信機の前記コピー保護機能を不作動にする、ことを特徴とする請求項８に記載の方法。
【請求項１０】
更に、
前記メディアソースが選択可能な出力制御を実装することを判定し、
第２の受信機インタフェースが、前記選択可能な出力制御を介して、前記メディアソースに結合されているか否かを判定し、
前記第２の受信機インタフェースが前記メディアソースに結合されている場合、前記第１のインタフェースを不作動にする、ことを特徴とする請求項８に記載の方法。
【請求項１１】
更に、
複数のメディアソースインタフェースを介して、前記メディアコンテンツの出力を試すよう、前記メディアソースに命令し、
信号が前記複数のメディアソースインタフェースを介して受信されているか否かを判定する、ことを特徴とする請求項１０に記載の方法。
【請求項１２】
前記第１の受信機インタフェースは、HDMIインタフェースである、ことを特徴とする請求項８に記載の方法。
【請求項１３】
前記コピー保護機能は、HDCPコピー保護機能である、ことを特徴とする請求項８に記載の方法。
【請求項１４】
更に、
前記コピー保護機能の状態に関して、ユーザにメッセージを提供する、ことを特徴とする請求項８に記載の方法。
【請求項１５】
プロセッサに命令するように構成されたソフトウェア命令を保持する非一時的なコンピュータ読み取り可能な媒体であって、前記プロセッサは、
プレイスシフト装置が、パススルーモードにあるか、プレイスシフトモードにあるか、を判定し、
前記プレイスシフト装置が前記プレイスシフトモードに入ったとき、前記プレイスシフト装置とメディアソースとの間のインタフェースのコピー保護機能を無効にし、
前記プレイスシフト装置が前記パススルーモードに入ったとき、前記インタフェースの前記コピー保護機能を有効にする、ことを特徴とする非一時的なコンピュータ読み取り可能な媒体。
【請求項１６】
前記ソフトウェア命令は、更に、前記プロセッサが、
前記メディアソースがコピー保護メディアコンテンツを伝送しているか否かを判定するために、前記メディアソースに対する調査を行い、
前記メディアソースが、コピー保護メディアコンテンツを伝送しているときにのみ、前記第１の受信機の前記コピー保護機能を無効にする、ことを前記プロセッサに命令するように構成されていることを特徴とする請求項１５に記載の非一時的なコンピュータ読み取り可能な媒体。
【請求項１７】
前記ソフトウェア命令は、更に、前記プロセッサが、
前記メディアソースが、選択可能な出力制御を実装していることを判定し、
第２の受信機インタフェースが、前記選択可能な出力制御を介して、前記メディアソースに結合されているか否かを判定し、
前記第２の受信機インタフェースが前記メディアソースに結合されている場合、前記第１のインタフェースを不作動にする、ことを命令するように構成されていることを特徴とする請求項１５に記載の非一時的なコンピュータ読み取り可能な媒体。
【請求項１８】
前記ソフトウェア命令は、更に、前記プロセッサが、
複数のメディアソースインタフェースを介して、前記メディアコンテンツの出力を試すよう、前記メディアソースに命令し、
信号が前記複数のメディアソースインタフェースを介して受信されているか否かを判定する、ことを前記プロセッサに命令するように構成されていることを特徴とする請求項１７に記載の非一時的なコンピュータ読み取り可能な媒体。
【請求項１９】
前記第１の受信機インタフェースは、HDMIインタフェースであることを特徴とする請求項１５に記載の非一時的なコンピュータ読み取り可能な媒体。
【請求項２０】
前記コピー保護機能は、HDCPコピー保護機能であることを特徴とする請求項１５に記載の非一時的なコンピュータ読み取り可能な媒体。
【発明の詳細な説明】
【技術分野】
【０００１】
＜関連出願への相互参照＞
この出願は、２０１２年１０月１２日出願の米国仮出願番号６１／７１３、２３７に対して優先権を主張し、この全内容は、ここに参照文献として組み込まれる。
＜技術分野＞
【０００２】
本開示は、一般に、家庭用エンタテインメントシステムにおけるテレビ番組及び映画などのメディアコンテンツを処理するシステム及び技術に関する。特には、本開示は、コピー保護コンテンツを受信するように構成されたプレイスシフト装置に関する。
【背景技術】
【０００３】
最近、消費者は、自分たちの主要なテレビセットのある場所と異なる場所でテレビや他のメディアコンテンツを視聴することが可能な「プレイスシフト」装置に大きな関心を示している。プレイスシフト装置は、典型的には、視聴者のために、パケット化されたメディアストリームを再生可能なポータブルコンピュータ、携帯電話、パーソナルデジタルアシスタント、遠隔にあるテレビあるいは、他のリモートデバイスに、ローカル、あるいは、ワイドエリアネットワークを介して送信されることができるメディアコンテンツをパケット化する。したがって、プレイスシフトにより、消費者は、ポータブルメディアプレイヤー装置が無線あるいは他の通信ネットワークへのアクセスを得ることができる他の部屋、ホテル、オフィス、及び／あるいは、任意の他の場所などの遠隔の場所から、それらのメディアコンテンツを視聴することができる。
【０００４】
プレイスシフト装置によって受信されるあるメディアコンテンツは、１以上の形態のコピー保護を組み込んでいる。例えば、メディアコンテンツを視聴するための特に一般的なインタフェースは、多くの現在のディスプレイ及びエンタテインメント装置に組み込まれている高解像度マルチメディアインタフェース（HDMI（登録商標））である。HDMIは、しばしば、広帯域デジタルコンテンツ保護（HDCP）と共に、そのような装置内で使用される。しかし、残念なことに、コンポーネントビデオなどの他のインタフェースを介して受信されたならば、その同じコンテンツが合法的にプレイスシフトされているとしても、適用可能なHDMI/HDCPライセンス条件（技術セーフガードと共に）に従うことにより、HDCPで保護されたコンテンツを再送信（例えば、プレイスシフト）するエンタテインメント装置の能力は大きく限定される。
【０００５】
したがって、他のメディアインタフェースに加え、HDMI/HDCPインタフェースを利用する家庭用エンタテインメント装置を有するユーザのプレイスシフトの経験を改善するシステム及び方法を提供することが望まれる。これら、及び、他の望ましい特徴と特性は、添付の図面及びこの背景技術の項と共に考慮されるならば、続く詳細な説明と添付の請求項から明らかになるだろう。
【図面の簡単な説明】
【０００６】
例示的な実施形態が、以下の図面と共にここに説明されるが、同様な参照番号は、同様な構成要素を示す。
【０００７】
【図１】例示的プレイスシフトシステムの概略概念図である。
【図２】本発明のさまざまな実施形態に従った、フローチャートである。
【図３】本発明のさまざまな実施形態に従った、フローチャートである。
【発明を実施するための形態】
【０００８】
本発明の以下の詳細な説明は、その性質として例示的なものに過ぎず、本発明あるいは、本発明の応用及び使用を限定することを意図していない。更に、前述の背景技術あるいは、以下の詳細な説明において提供されるいかなる理論に縛られるということも意図しない。
【０００９】
一般に、HDCPなどのような、コピー保護あるいは他のデジタル権利管理技術の一形態を組み込むことができ、メディアソース（例えば、チューナー）からのコンテンツを扱うように構成されたプレイスシフト装置のために、さまざまなシステム及び方法が提供される。ある実施形態では、（パススルーモードとは反対に）プレイスシフトモードに入るとき、インタフェース（例えば、HDMIインタフェース）のコピー保護機能は、単純に無効とされる。プレイスシフト装置によって調べられる（interrogate）ことができる、コピー保護「フラグ」などをメディアソースが含む他の実施形態においては、プレイスシフト装置は、メディアソースコピー保護が無効とされているか判定し、その後のみに、インタフェースのコピー保護機能を無効とする。メディアソースにおいて、選択可能な出力制御（SOC）が利用できる他の実施形態においては、プレイスシフト装置は、他のインタフェース（例えば、コンポーネントビデオ、複合ビデオ（composite video）など）が使用可能か否かを判定し、もしそうなら、コピー保護機能を有するインタフェースを無効とする。
【００１０】
図１を今参照すると、本実施形態を説明するのに有用な例示的プレイスシフトシステム１００がここで説明される。図示されているように、プレイスシフトシステム１００は、一般に、１以上のメディアソース１２０からメディアコンテンツを受信し、受信したコンテンツを適切なフィーマット（例えば、ストリーミングフォーマット）に符号化し、その後、符号化されたメディアストリームを、ネットワーク１４０（例えば、WLAN、インターネットなど）を介して、メディアプレイヤー１５０に送信するプレイスシフト装置１１０を含む。メディアプレイヤー１５０は、符号化されたストリームを受信し、ストリームを復号し、復号されたコンテンツを、テレビあるいは他のそのようなディスプレイ１６０上で、視聴者に提示する。同様に、コンテンツは、ディスプレイ１３０を用いて、（プレイスシフト装置１１０から見て）ローカルに視聴することができる。さまざまな実施形態においては、プレイスシフト装置１１０及び／あるいはメディアプレイヤー１５０とネットワーク１４０を介して通信するサーバ１７０も設けられ、これらの装置が、互いに場所を特定し、セキュリティを維持し、コンテンツあるいは情報を提供あるいは受信し、及び／あるいは、所望の任意の他の特徴を持つように補助することが出来る。
【００１１】
メディアソース１２０（１２０A、１２０Bなど）は、例えば、広帯域テレビ、ケーブルテレビ、衛星テレビ、「ビデオオンデマンド」あるいは同様のソース、デジタルビデオディスク（DVD)プレイヤー、及び、他の取り外し可能なメディア、ビデオカメラシステム、ビデオゲーム端末、チューナー（STB）システム、インターネットメディアソース（例えば、YouTube(登録商標））などを含む、既知の、あるいは、これから開発される、広い範囲のソースを含むことができる。メディアソース１２０は、また、典型的には、１以上の出力インタフェース（不図示）を含む。
【００１２】
プレイスシフト装置１１０は、ここに説明された機能を実行するように構成された、ソフトウェア及び／あるいはハードウェアの任意の組み合わせを含む。図示された実施形態においては、例えば、プレイスシフト装置１１０は、（ディスプレイ１０３０と結合された）ディスプレイインタフェース１１１、（ネットワーク１４０と結合された）ネットワークインタフェース１１５、及び、メディアソース１２０と結合された１以上の受信機インタフェース１１６（１１６A、１１６Bなど）を含む。受信機インタフェース１１６は、HDMI、コンポーネントビデオ、複合ビデオインタフェースなどの、既知の、あるいは、これから開発される、任意のインタフェースのセットを含む。図示されているように、特定
のメディアソース１２０は、１以上の受信機インタフェース１１６Aに結合されることが出来る。したがって、例えば、メディアソース１２０Bが受信機インタフェース１１６Cに結合される一方で、メディアソース１２０Aは、受信機インタフェース１１６Aと１１６Bの両方に結合される。受信機インタフェース１１６は、コピー保護メディアコンテンツを受信し、復号する選択的な機能を有することができる。例えば、HDMI/HDCPインタフェースの場合、プレイスシフト装置１１０は、（例えば、HDMIインタフェースをリセットし、メディアソース１２０からのHDCPハンドシェイキングを拒否することによって、）そのインタフェースのHDCP準拠を無効にしたり、有効にすることができる。
【００１３】
プレイスシフト装置１１０は、（例えば、さまざまな機能メニュー、リモートコントロール装置、及び、他の従来のユーザインタフェースコンポーネントによって、）ユーザとプレイスシフト装置１１０との間の相互作用を提供するように構成されたユーザインタフェースモジュール１１３を含む。
【００１４】
プレイスシフト装置１１０は、また、プレイスシフト装置１１０の他のコンポーネントの動作を制御するコントローラ１１２と、プレイスシフト装置１１０の動作に関連した他のデータと共に、メディアソース１２０から受信したデータを格納する適切な記憶装置（例えば、ハードディスク及び／あるいは、固体ドライブ）１１４とを含む。ここに説明する特定の方法は、例えば、コントローラ１１２によって実行可能なソフトウェアを用いて実装されることができ、次に、ディスプレイ１３０及び／あるいはディスプレイ１６０を介してユーザに提供されることができる。以下に更に詳細に説明されるように、コントローラ１１２は、（プレイスシフト装置１１０がプレイスシフトを実行する）「プレイスシフトモード」と、（プレイスシフト装置１１０が、単に、メディアコンテンツが、例えば、ディスプレイ１３０に通過することを許す）「パススルーモード」とを有している。
【００１５】
プレイスシフト装置１１０は、典型的には、簡単のために図には示されていない複数の追加的なハードウェア及び／あるいはソフトウェアコンポーネント（例えば、メモリ、コントローラ、デジタル信号処理装置など）を含んでいる。例えば、プレイスシフト装置１１０は、典型的には、メディアソース１２０のオーディオ／ビデオあるいは他のデータを、ネットワーク１４０を介して伝送できるパケット化されたフォーマットに変換するように構成された符号化器及び／あるいはコード変換モジュールを組み込む。
【００１６】
プレイスシフト装置１１０は、また、ネットワーク１４０を介して伝送する前に符号化データを一時的に格納する伝送バッファモジュールを含み、現在以降のネットワークパフォーマンスの観点から、所望の画像品質とデータスループットを維持するために、符号化の１以上のパラメータ（例えば、メディアストリームのビットレート）を調整する含むことが出来る。プレイスシフト装置は、また、メディアソースからの所望の入力信号を要求するために、１以上のメディアソース１２０への命令を提供するように構成されることが出来る。そのような命令は、メディアソース１２０によって受信可能なリモートコントロール命令をエミュレートする赤外あるいは他の無線送信器などの、都合の良い有線あるいは無線のインタフェースを介して提供されることが出来る。カリフォルニア州、フォスター市のSling Media, Inc.から購入することが出来るSLINGBOX（登録商標）製品は、例示的プレイスシフト装置の一つである。
【００１７】
いくつかの実施形態においては、プレイスシフト装置１１０は、典型的に特定のメディアソース１２０に関連した機能の全てあるいは一部を組み込む。例えば、プレイスシフト装置１１０は、コード変換及びプレイスシフトの特徴を提供する、ハイブリッドSTBあるいは他の受信機であることが出来る。そのような装置は、アンテナ、モデム、サーバ及び／あるいは他のソースから受信されるテレビ番組あるいは他のコンテンツを符号化した、衛星、ケーブル、放送及び／あるいは他の信号を受信することができる。そのような装置
は、また、パーソナルあるいはデジタルビデオレコーダ（DVR)作品あるいは、適切な場合には、他のコンテンツライブラリをサポートするために、コンテンツデータベース（例えば、記憶装置１１４内に格納される）を含むことが出来る。言い換えると、ある実施形態では、メディアソース１２０とプレイスシフト装置１１０は、共通のコンポーネント、筐体あるいはシャーシ内に物理的に及び／あるいは論理的に含まれる。
【００１８】
ある実施形態では、プレイスシフト装置１１０は、従来の計算システム（例えば、パーソナルコンピュータ、タブレットコンピュータ、スマートフォンなど）で実行されるように構成されたソフトウェアアプリケーションである。そのような実施形態においては、プレイスシフト装置１１０は、典型的には、メディアプレイヤー１５０に対するプレイスシフトのために計算システムのユーザに提供されるスクリーン表示のいくつかあるいは全部を符号化することができる。そのような機能を提供できる一つの装置は、Sling Media, Inc.から購入することができるSlingProjector（登録商標）製品である。
【００１９】
メディアプレイヤー１５０は、メディアストリームプレイスシフト装置１１０を受信することができる装置、コンポーネント、モジュール、ハードウェア、ソフトウェアなどとすることができる。
【００２０】
様々な実施形態においては、メディアプレイヤー１５０は、デスクトップコンピュータ、ノート型コンピュータ、タブレットコンピュータ、携帯電話、パーソナルデジタルアシスタント、パーソナルメディアプレイヤー（フランス、Igny のArchos 社から購入することができるARCHOS （登録商標）製品など）などである。多くの実施形態では、メディアプレイヤー１５０は、プレイスシフト装置１１０に安全に繋がり、受信することができ、適切な場合には、装置のユーザにメディアコンテンツを提示することができる、メディアプレイヤーアプリケーションを含む汎用計算装置である。他の実施形態では、メディアプレイヤー１５０は、ネットワーク１４０を介してメディアストリームを受信し、メディアストリームを復号して、テレビあるいは他のディスプレイ１６０に提示される出力信号を提供することができるスタンドアロンあるいは他の別個のハードウェア装置である。他の製品が、ここに説明している主題に関連して使用されるかもしれないが、スタンドアロンメディア受信機１５０の一例は、Sling Media, Inc.から購入することができるSLINGCATCHER（登録商標）製品である。
【００２１】
前述したように、１以上のインタフェース１１６は、コピー保護されたメディアコンテンツを受信するように構成されることができる。一つの良くある例としては、プレイスシフト装置１１０が、（例えば、既知のハンドシェイク手続により）HDCP標準に適合するように構成されたHDMIインタフェースを含む。その点では、特定のメディアソース１２０Aから受信したコピー保護されたメディアコンテンツを再送信することは、法的に、あるいは、技術的に不可能かもしれない。つまり、HDCP標準によれば、プレイスシフト装置１１０は、「プレイスシフトモード」において、ネットワーク１４０を介して、メディアプレイヤー１５０にメディアコンテンツを伝送することが出来ないが、「パススルー」モードにおいて、依然、メディアコンテンツをディスプレイ１３０に伝送することができるHDCP「シンク」と考えることができる。多くの場合（例えば、HDCPでは）、コンテンツが暗号化されているか、あるいは、そうでなければ、コピー保護されているか否かは、メディアコンテンツ自身からは検出不可能である。
【００２２】
図２−４は、上記問題を解決するための様々な方法を提示する。一般には、これらの方法は、メディアソース１２０の性質及び、プレイスシフト装置１１０が、プレイスシフトモード、あるいは、パススルーモードのいずれにあるかに基づいて、インタフェースのコピー保護機能を選択的に無効にする、あるいは、インタフェース自身全体を無効にすることを含む。
【００２３】
図２は、例えば、メディアソース１２０が、コピー保護について、「オールオアナッシング」装置として構成されているとき、つまり、メディアソース１２０が、最初、プレイスシフト装置１１０がコピー保護コンテンツを受信することが出来るか否かを判断する場合に適用可能な例示的方法２００を示す。受信出来るならば、メディアコンテンツは、プレイスシフト装置１１０に伝送され、そうでないならば、メディアコンテンツは、伝送されない。そのような場合には、プレイスシフト装置１１０は、最初、パススルーモードにあるか否かを判断する（ステップ２０２）。そのモードにあれば、コピー保護コンテンツは、（例えば、テレビディスプレイに）伝送される（ステップ２０６）。そうでないならば、インタフェースのコピー保護機能は無効にされる。例えば、HDMI/HDCPインタフェースの場合、プレイスシフト装置１１０は、インタフェース上のHDCPを無効にし、次に、全体的にHDMIインタフェースをリセットすることができる。このように、メディアソース１２０は、プレイスシフト装置１１０は、HDCPメディアコンテンツを受信することができないものと見て、その後は、メディアコンテンツがプレイスシフト装置１１０に提供されるべきか否かについての自身の判断をするだろう。
【００２４】
図３は、例えば、メディアソース１２０が、コピー保護「フラグ」と共に構成されているとき、そうでなければ、伝送されるコンテンツがある形態のコピー保護を受けているか否かを判断するために、プレイスシフト装置１１０によって問い合わせ可能な場合に適用できる方法３００を示す。この実施形態では、モードは、最初に判定される（ステップ３０２）。パススルーモードでは、コピー保護コンテンツが伝送される（ステップ３０６）。そうでなければ、次に、プレイスシフト装置１１０は、メディアソースがコピー保護されているか否かを判定する（例えば、コピー保護フラグがTRUEであるか否かを判定することによって）。メディアソースがコピー保護されている場合には、次に、インタフェースのコピー保護機能が無効にされる（ステップ３０８）。そうでないならば、次に、コピー保護コンテンツは伝送され、要求に応じてプレイスシフトされる（ステップ３１０）。
【００２５】
図４は、例えば、メディアソース１２０が、「選択可能な出力制御」（SOC）装置である場合に適用可能な方法４００を示す。当技術分野で知られているように、SOC装置は、ある形態の外部命令に基づいて、その出力インタフェースを変化させるように構成されている。例えば、プレイスシフトモードに入ったとき（ステップ４０２を介して）、プレイスシフト装置１１０は、メディアソース１２０に対して、全ての利用可能なインタフェース（例えば、HDMI、コンポーネントビデオ、複合ビデオ、同軸ケーブル（coax）など）を介するように切り替えを行うことを命令し、出力信号の存在を探し、これによって、代わりのインタフェース（つまり、コピー保護インタフェースとは別の）が利用可能か否かを判定することが出来る（ステップ４０６）。そのような代わりのインタフェースが利用可能な場合、コピー保護機能を有するインタフェースは無効とされ、コンテンツは、代わりのインタフェースの一つを介して受信される（ステップ４０８）。そうでなければ、インタフェースのコピー保護機能は無効にされる（ステップ４１０）。HDMI/HDCPの場合には、これは、HDMIインタフェースを全部無効にし（あたかもHDMIケーブルが実質抜かれているように）、コンテンツを、コンポーネントビデオインタフェースを介して受信することを含むことが出来る。少なくとも１つの実施形態では、プレイスシフト装置１１０は、メディアソース１２０に、代わりの出力を介してコンテンツの出力を可能にさせるように、HDMIインタフェースの不作動化を示す命令を、メディアソース１２０に伝送することができる。
【００２６】
図２−４に示された実施形態に従うと、様々なユーザインタフェースメッセージとオプションをユーザに提示することができる。例えば、ユーザは、セットアップの間、複数の受信機インタフェースを使用するように指示されることができる（例えば、「HDMIとコンポーネントビデオケーブルの両方を接続してください」）。ユーザは、また、コピー保護
のためにあるメディアソースが、プレイスシフトからブロックされていることを通知されることができる。一般に、ユーザは、様々なインタフェース及び／あるいはプレイスシフト装置１１０のコピー保護機能についての情報を提示されることができる。
【００２７】
いくつかの例示的実施形態が、前述の詳細な説明に提示されたが、多くの別の、しかし、等価な変形が存在し、ここに示した例は、いずれの意味においても、本発明の範囲、応用可能性、あるいは、構成を限定することを意図するものではないことを理解されたい。反対に、様々な変形は、請求項の範囲及び、それらの法的な均等物の範囲から離れることなく、説明された構成要素の機能及び配置に加えられることが出来る。
【図１】
2015535150.tif 000003
【図２】
2015535150.tif 000004
【図３】
2015535150.tif 000005
【図４】
2015535150.tif 000006
【手続補正書】
【提出日】平成27年5月7日(2015.5.7)
【手続補正１】
【補正対象書類名】特許請求の範囲
【補正対象項目名】全文
【補正方法】変更
【補正の内容】
【特許請求の範囲】
【請求項１】
メディアソースからメディアコンテンツを受信するように構成されたプレイスシフト装置であって、
プレイスシフトモードを有するコントローラと、
前記コントローラと前記メディアソースとに結合され、選択可能なコピー保護機能を有する第１の受信機インタフェースと、を備え、
前記コントローラは、前記プロセッサがプレイスシフトモードに入ったとき、前記第１の受信機インタフェースの前記コピー保護機能を無効にし、
前記メディアソースは、選択可能な出力制御を実装していることを判定し、
第２の受信機インタフェースが、前記選択可能な出力制御を介して、前記メディアソースに結合されているか否かを判定し、
前記第２の受信機インタフェースが、前記メディアソースに結合されている場合に、前記第１のインタフェースを無効にするにように構成されている、ことを特徴とするプレイスシフト装置。
【請求項２】
前記コントローラは、
前記メディアソースがコピー保護メディアコンテンツを伝送しているか否かを判断するために、前記メディアソースを調べ、
前記メディアソースがコピー保護メディアコンテンツを伝送している場合に、前記第１の受信機インタフェースの前記コピー保護機能を無効に
する、
ように構成されていることを特徴とする請求項１に記載のプレイスシフト装置。
【請求項３】
前記コントローラが、
前記メディアソースに、複数のメディアソースインタフェースを介して、前記メディアコンテンツの出力を試すように命令し、
信号が、前記複数のメディアソースインタフェースを介して受信されているか否かを判定する、ことによって、
前記第２の受信機インタフェースが、前記メディアソースに結合されているか否かを判定するように構成されている、ことを特徴とする請求項１に記載のプレイスシフト装置。
【請求項４】
前記第１の受信機インタフェースは、HDMIインタフェースであることを特徴とする請求項１に記載のプレイスシフト装置。
【請求項５】
前記コピー保護機能は、HDCPコピー保護機能であることを特徴とする請求項４に記載のプレイスシフト装置。
【請求項６】
前記コントローラは、更に、前記コピー保護機能の状態に関して、ユーザにメッセージを提供するように構成されている、ことを特徴とする請求項１に記載のプレイスシフト装置。
【請求項７】
プレイスシフト装置とメディアソースとの間のインタフェースを管理する方法であって、
前記プレイスシフト装置が、パススルーモードにあるか、あるいは、プレイスシフトモードにあるか、を判定し、
前記プレイスシフト装置が前記プレイスシフトモードに入ったとき、前記インタフェースのコピー保護機能を無効にし、
前記プレイスシフト装置が前記パススルーモードに入ったとき、前記インタフェースの前記コピー保護機能を有効にし、
前記メディアソースが選択可能な出力制御を実装することを判定し、
第２の受信機インタフェースが、前記選択可能な出力制御を介して、前記メディアソースに結合されているか否かを判定し、
前記第２の受信機インタフェースが前記メディアソースに結合されている場合、前記第１のインタフェースを不作動する、ことを特徴とする方法。
【請求項８】
更に、
前記メディアソースがコピー保護メディアコンテンツを伝送しているか否かを判定するために、前記メディアソースに対する調査を行い、
前記メディアソースがコピー保護メディアコンテンツを伝送している場合にのみ、前記第１の受信機の前記コピー保護機能を無効にする、ことを特徴とする請求項７に記載の方法。
【請求項９】
更に、
複数のメディアソースインタフェースを介して、前記メディアコンテンツの出力を試すよう、前記メディアソースに命令し、
信号が前記複数のメディアソースインタフェースを介して受信されているか否かを判定する、ことを特徴とする請求項７に記載の方法。
【請求項１０】
前記第１の受信機インタフェースは、HDMIインタフェースである、ことを特徴とする請求項７に記載の方法。
【請求項１１】
前記コピー保護機能は、HDCPコピー保護機能である、ことを特徴とする請求項７に記載の方法。
【請求項１２】
更に、
前記コピー保護機能の状態に関して、ユーザにメッセージを提供する、ことを特徴とする請求項７に記載の方法。
【請求項１３】
プロセッサに命令するように構成されたソフトウェア命令を保持する非一時的なコンピュータ読み取り可能な媒体であって、前記プロセッサは、
プレイスシフト装置が、パススルーモードにあるか、プレイスシフトモードにあるか、を判定し、
前記プレイスシフト装置が前記プレイスシフトモードに入ったとき、前記プレイスシフト装置とメディアソースとの間のインタフェースのコピー保護機能を不使用にし、
前記プレイスシフト装置が前記パススルーモードに入ったとき、前記インタフェースの前記コピー保護機能を有効にし、
前記メディアソースが、選択可能な出力制御を実装していることを判定し、
第２の受信機インタフェースが、前記選択可能な出力制御を介して、前記メディアソースに結合されているか否かを判定し、
前記第２の受信機インタフェースが前記メディアソースに結合されている場合、前記第１のインタフェースを不作動にする、ことを特徴とする非一時的なコンピュータ読み取り可能な媒体。
【請求項１４】
前記ソフトウェア命令は、更に、前記プロセッサが、
前記メディアソースがコピー保護メディアコンテンツを伝送しているか否かを判定するために、前記メディアソースを調べ、
前記メディアソースが、コピー保護メディアコンテンツを伝送しているときにのみ、前記第１の受信機インタフェースの前記コピー保護機能を無効にする、ように前記コンピュータに命令するように構成されていることを特徴とする請求項１３に記載の非一時的なコンピュータ読み取り可能な媒体。
【請求項１５】
前記ソフトウェア命令は、更に、前記プロセッサが、
複数のメディアソースインタフェースを介して、前記メディアコンテンツの出力を試すよう、前記メディアソースに命令し、
信号が前記複数のメディアソースインタフェースを介して受信されているか否かを判定する、ように前記プロセッサに命令するように構成されていることを特徴とする請求項１４に記載の非一時的なコンピュータ読み取り可能な媒体。
【請求項１６】
前記第１の受信機インタフェースは、HDMIインタフェースであることを特徴とする請求項１３に記載の非一時的なコンピュータ読み取り可能な媒体。
【請求項１７】
前記コピー保護機能は、HDCPコピー保護機能であることを特徴とする請求項１３に記載の非一時的なコンピュータ読み取り可能な媒体。
【手続補正２】
【補正対象書類名】図面
【補正対象項目名】図１
【補正方法】変更
【補正の内容】
【図１】
2015535150.tif 000007
【国際調査報告】
2015535150.tif 000008
2015535150.tif 000009